(57)【要約】      （修正有）【課題】ファンの回転により生じるファン音が音声記録に与える影響を抑制することが可能な表示装置及びその制御方法を提供する。【解決手段】表示装置１００は、入力された音声信号を解析する音声信号解析部１０３と、映像信号及び音声信号の少なくとも一方が記録中であるか否かに関する記録情報を取得する記録情報取得部１０４と、解析手段による解析結果と、記録情報取得部により取得された記録情報とに基づいて、ファン１０９の制御を行う制御部１０７と、を備える。制御部は、音声信号解析部による解析結果と、記録情報取得部により取得された記録情報とに基づいて、ファン音が記録されているか否かを判定し、ファン音が記録されていると判定した場合に、ファンの回転数を低くする制御を行う。【選択図】図２
2018084603.tif 000002
【特許請求の範囲】
【請求項１】
映像信号及び音声信号を入力する入力手段と、
入力された音声信号を解析する解析手段と、
前記映像信号及び音声信号の少なくとも一方が記録中であるか否かに関する記録情報を取得する取得手段と、
表示装置の内部の温度を低下させるためのファンと、
前記解析手段による解析結果と、前記取得手段により取得された記録情報とに基づいて、前記ファンの制御を行う制御手段と、を備え、
前記制御手段は、前記解析手段による解析結果と、前記取得手段により取得された記録情報とに基づいて、ファン音が記録されているか否かを判定し、ファン音が記録されていると判定した場合に、ファンの回転数を低くする制御を行うことを特徴とする表示装置。
【請求項２】
前記制御手段は、ファン音が記録されていると判定した場合に、ファンの回転を停止させる制御を行うことを特徴とする請求項１に記載の表示装置。
【請求項３】
前記記録情報は、前記映像信号に重畳されることを特徴とする請求項１または２に記載の表示装置。
【請求項４】
前記映像信号、前記音声信号、及び前記記録情報は、ＳＤＩ（Ｓｅｒｉａｌ  Ｄｉｇｉｔａｌ  Ｉｎｔｅｒｆａｃｅ）形式の信号で前記表示装置に入力されることを特徴とする請求項１から３までのいずれか１項に記載の表示装置。
【請求項５】
前記映像信号と前記音声信号は、異なる伝送経路で前記表示装置に入力されることを特徴とする請求項１から３までのいずれか１項に記載の表示装置。
【請求項６】
前記制御手段は、音声信号のレベルに対するファン音のレベルの割合に応じて、ファンの回転数の制御を行うことを特徴とする請求項１に記載の表示装置。
【請求項７】
前記解析手段は、ファンが回転している状態で取得した音声信号と、ファンが停止している状態で取得した音声信号とに基づいて、ファン音を解析することを特徴とする請求項１に記載の表示装置。
【請求項８】
映像信号及び音声信号を入力する入力ステップと、
入力された音声信号を解析する解析ステップと、
前記映像信号及び音声信号の少なくとも一方が記録中であるか否かに関する記録情報を取得する取得ステップと、
前記解析ステップでの解析結果と、前記取得ステップで取得された記録情報とに基づいて、表示装置の内部の温度を低下させるためのファンの制御を行う制御ステップと、を有し、
前記制御ステップは、前記解析ステップでの解析結果と、前記取得ステップで取得された記録情報とに基づいて、ファン音が記録されているか否かを判定し、ファン音が記録されていると判定した場合に、ファンの回転数を低くする制御を行うことを特徴とする表示装置の制御方法。
【発明の詳細な説明】
【技術分野】
【０００１】
本発明は、ファンを備える表示装置及びその制御方法に関する。
【背景技術】
【０００２】
近年、映像制作の撮影現場では、アナログ式のフィルム撮像装置ではなく、デジタル式の撮像装置を用いて撮影されることが多くなってきている。また、撮影後に、映像の編集から作品完成までの一連の工程でも、デジタルデータを用いたファイルベースの映像制作ワークフローが広く用いられる様になってきている。
【０００３】
ファイルベースの映像制作ワークフローでは、撮影用の撮像装置から出力されたＲＡＷ形式等の画像データの現像工程で、ディスプレイのガンマ特性に合わせる色調整等のグレーディング処理が行われる。
【０００４】
従来、撮影時とは別の時間／場所で現像工程が実施されるのが一般的であった。しかし、近年は、機材の性能向上やサイズダウンに伴い、撮像装置から出力されたＲＡＷ形式等の映像データを撮影現場で現像し、撮影された映像の階調性を撮影現場で確認するオンセットグレーディングという手法が広まりつつある。このオンセットグレーディングでは、現像用コンピュータとディスプレイが用いられたり、現像機能を備えるディスプレイが用いられたりする。オンセットグレーディングに用いられるディスプレイは、撮影現場のすぐ近くで使用されることが多いため、撮影現場の集音作業に影響を与えるようなファンの回転音等の騒音が小さい方が好ましい。
【０００５】
従来、ファンの騒音を低減するために、装置内の２つのファンの回転音を解析し、互いのファンの回転音を打ち消すように回転数を制御する技術が提案されている（特許文献１参照）。また、入力される音声コンテンツの音量レベルに応じてファンの回転数を制御するプロジェクタ等が提案されている（特許文献２参照）。
【先行技術文献】
【特許文献】
【０００６】
【特許文献１】特開２０１４−０１１９１２号公報
【特許文献１】特開２００９−０５３４７６号公報
【発明の概要】
【発明が解決しようとする課題】
【０００７】
しかしながら、上述した従来の技術では、ファンの回転により生じるファン音が音声記録に与える影響を考慮した制御は行われていなかった。
【０００８】
そこで、本発明は、ファンの回転により生じるファン音が音声記録に与える影響を抑制することが可能な表示装置及びその制御方法を提供することを目的とする。
【課題を解決するための手段】
【０００９】
上述した課題を解決するために、本発明の一実施形態に係る表示装置は、映像信号及び音声信号を入力する入力手段と、入力された音声信号を解析する解析手段と、前記映像信号及び音声信号の少なくとも一方が記録中であるか否かに関する記録情報を取得する取得手段と、表示装置の内部の温度を低下させるためのファンと、前記解析手段による解析結果と、前記取得手段により取得された記録情報とに基づいて、前記ファンの制御を行う制御手段と、を備える。前記制御手段は、前記解析手段による解析結果と、前記取得手段により取得された記録情報とに基づいて、ファン音が記録されているか否かを判定し、ファン音が記録されていると判定した場合に、ファンの回転数を低くする制御を行うことを特徴とする。
【発明の効果】
【００１０】
本発明によれば、ファンの回転により生じるファン音が音声記録に与える影響を抑制することが可能となる。
【図面の簡単な説明】
【００１１】
【図１】実施の形態１に係るシステムの構成を示すブロック図である。
【図２】実施の形態１に係る表示装置の構成を示すブロック図である。
【図３】実施の形態１における制御部の動作（制御フロー）を示すフロー図である。
【図４】実施の形態２に係るシステムの構成を示すブロック図である。
【図５】実施の形態２に係る表示装置の構成を示すブロック図である。
【図６】実施の形態３における制御部の動作（制御フロー）を示すフロー図である。
【図７】実施の形態４に係る表示装置の構成を示すブロック図である。
【図８】実施の形態４における音声信号解析部及び制御部の動作（制御フロー）を示すフロー図である。
【発明を実施するための形態】
【００１２】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１３】
（実施の形態１）
本実施の形態１では、表示装置に入力される映像信号に音声信号が重畳されている場合のファンの制御について説明する。
【００１４】
図１は、実施の形態１に係るシステムの構成を示すブロック図である。マイク２００が撮像装置３００に接続されており、記録装置４００が撮像装置３００と表示装置１００とに接続されている。
【００１５】
撮像装置３００には、出力端子が備えられており、撮像装置３００による撮影で得られた映像信号を外部に出力することが可能になっている。また、撮像装置３００には、入力端子が備えられており、マイク２００から撮像装置３００に入力された音声信号を映像信号に重畳させて、出力端子から出力することが可能である。また、撮像装置３００は、記録開始／停止を操作するユーザインターフェース（ボタンやタッチ操作パネルなど）を備えており、映像信号と音声信号を記録中か否かを示す記録情報を映像信号に重畳して出力することが可能である。記録情報は、映像信号と音声信号のいずれか一方を記録中か否かを示す情報であってもよい。映像信号を記録中であれば音声信号も記録中であろうと推定できる。撮像装置３００は、撮像により得られた映像信号とマイク２００から入力された音声信号を、装着されたＳＤカードなどの記録媒体に記録する機能を有していても良い。
【００１６】
記録装置４００は、入力端子と出力端子を備える。記録装置４００は、撮像装置３００から入力された映像信号と音声信号を記録する。また、撮像装置３００から入力された映像信号がＲＡＷデータの場合は、ＲＡＷデータに現像処理を施した後、現像された映像信号に、音声信号と記録情報を重畳したまま外部へ出力する。
【００１７】
記録装置４００から出力された映像信号と音声信号と記録情報は、表示装置１００に入力される。表示装置１００は、記録装置４００から入力された映像信号に基づく映像（画像）を表示する。
【００１８】
記録装置４００は、例えば、ＳＤＩ（Ｓｅｒｉａｌ  Ｄｉｇｉｔａｌ  Ｉｎｔｅｒｆａｃｅ）形式の信号を伝送可能なＳＤＩケーブルで、撮像装置３００と表示装置１００とに接続されている。
【００１９】
ＳＤＩ形式の信号（ＳＤＩ信号）は、映像信号を伝送可能であるとともに、アンシラリ領域に音声信号と記録情報等の付加情報とを重畳して伝送することが可能である。なお、本実施の形態は、ＳＤＩ形式に限定されるものではなく、ＨＤＭＩ（登録商標）形式やＤｉｓｐｌａｙＰｏｒｔ形式など、映像信号と音声信号と記録情報等の付加情報を伝送できる形式であれば適用可能である。
【００２０】
図２は、実施の形態１に係る表示装置１００の構成を示すブロック図である。ＳＤＩ信号入力部１０１は、記録装置４００から表示装置１００に入力されたＳＤＩ信号を受信し、映像信号とアンシラリ信号とに分離する。そして、映像信号を映像処理部１１０へ出力し、アンシラリ信号をアンシラリ解析部１０２へ出力する。
【００２１】
映像処理部１１０は、ＳＤＩ信号入力部１０１から入力された映像信号に、ノイズ低減処理や階調補正処理等の画像処理を施して、表示部１１１に出力する。表示部１１１は、映像処理部１１０から入力された映像信号に基づく映像（画像）を画面に表示する。
【００２２】
アンシラリ解析部１０２は、ＳＤＩ信号入力部１０１から入力されたアンシラリ信号を解析し、アンシラリ信号に含まれる音声信号を音声信号解析部１０３に出力し、アンシラリ信号に含まれる記録情報を記録情報取得部１０４に出力する。
【００２３】
音声信号解析部１０３は、撮影時に、アンシラリ解析部１０２から入力された音声信号を解析し、ファン音データ記憶部１０５に記憶されているファン音データを参照し、音声信号にファン音が含まれているか否かを判断する。具体的には、ファン音データは、ファンの回転数に応じたファン音レベルやファン音の周波数などの特性情報を含んでいる。音声信号解析部１０３は、ファン１０９の回転数に応じたファン音レベル及び周波数成分が音声信号から検知されたか否かに基づいて、音声信号にファン音が含まれているか否かを判断する。ただし、ファン１０９の回転数に応じたファン音レベル及び周波数成分のどちらか一方が音声信号から検知されたか否かに基づいて、音声信号にファン音が含まれているか否かを判断してもよい。また、上述の特許文献２に記載の技術を用いて判断してもよい。
【００２４】
記録情報取得部１０４は、アンシラリ解析部１０２から出力された記録情報を取得する。温度センサ１０６は、表示装置１００の内部温度を測定して温度情報を取得する。
【００２５】
制御部１０７は、音声信号解析部１０３による解析結果、記録情報取得部１０４により取得された記録情報、及び温度センサ１０６により取得された温度情報に基づいて、後述する制御フローに基づいた処理を行い、ファン制御回路１０８に制御信号を出力する。また、この制御部１０７は、例えばＣＰＵ（Ｃｅｎｔｒａｌ  Ｐｒｏｃｅｓｓｉｎｇ  Ｕｎｉｔ）であり、表示装置１００が備える各機能ブロックの動作を制御する。具体的には、ＣＰＵは、不図示のＲＯＭからプログラムを読み出して実行することにより、表示装置１００が備える各機能ブロックの動作を制御する。
【００２６】
ファン制御回路１０８は、制御部１０７から出力された制御信号に基づき、ファン１０９の回転制御を行う。ファン１０９が回転することで、表示装置１００の内部温度の上昇が抑制される。
【００２７】
図３は、実施の形態１における制御部１０７の動作（制御フロー）を示すフロー図である。ステップＳ１００では、制御部１０７は、温度センサ１０６から表示装置１００の内部温度に関する温度情報を取得し、ステップＳ１０１に移行する。
【００２８】
ステップＳ１０１では、ステップＳ１００で取得した温度情報と、予め保持している閾値とを比較し、表示装置１００の内部温度が閾値よりも小さければステップＳ１０２に進み、表示装置１００の内部温度が閾値よりも大きければステップＳ１０７に移行する。なお、上記閾値は、表示装置１００の正常動作時は超えない値であり、この値を超えると表示装置１００にダメージを与える恐れがある限界値を閾値に設定してもよい。
【００２９】
ステップＳ１０２では、アンシラリ解析部１０２が、ＳＤＩ信号入力部１０１から入力されたアンシラリ信号を解析する。そして、アンシラリ信号に含まれる音声信号を音声信号解析部１０３に出力し、アンシラリ信号に含まれる記録情報を記録情報取得部１０４に出力して、ステップＳ１０３へ移行する。
【００３０】
ステップＳ１０３では、制御部１０７が、記録情報取得部１０４で取得された記録情報を参照して映像信号と音声信号を記録中か否かを判定する。そして、映像信号と音声信号を記録中であればステップＳ１０４へ進み、映像信号と音声信号を記録中でなければステップＳ１０７へ移行する。
【００３１】
ステップＳ１０４では、音声信号解析部１０３が、アンシラリ解析部１０２から入力された音声信号を解析し、ステップＳ１０５へ移行する。ステップＳ１０５では、音声信号解析部１０３が、ファン音データ記憶部１０５に記憶されているファン音データを参照し、音声信号にファン音が含まれているか否かを判定する。ステップＳ１０３で映像信号と音声信号を記録中であると判断された場合にステップＳ１０４，Ｓ１０５が実行されるので、ステップＳ１０３〜Ｓ１０５によって、ファンの回転により生じるファン音が記録されているか否かが判定されることになる。ステップＳ１０５で、ファンの回転により生じるファン音が記録されていると判定された場合はステップＳ１０６へ進み、制御部１０７がファン制御回路５０８を介してファン１０９の回転を停止させる。ステップＳ１０５で、ファンの回転により生じるファン音が記録されていないと判定された場合はステップＳ１０７へ移行する。ステップＳ１０７では、制御部１０７は、温度センサ１０６により取得された温度情報に基づき、ファン制御回路５０８を介して、内部温度に応じた回転数でファン１０９の回転制御を行う。
【００３２】
したがって、この実施の形態１では、表示装置が備えるファンの回転により生じるファン音が音声記録に与える影響を抑制することが可能となる。
【００３３】
（実施の形態２）
実施の形態２では、映像信号と音声信号がそれぞれ別々の伝送経路で表示装置に入力される場合のファンの制御について説明する。
【００３４】
図４は、実施の形態２に係るシステムの構成を示すブロック図である。マイク２００、撮像装置３００、記録装置４００は実施の形態１と同様の機能を持つ。表示装置５００は、音声信号を入力するための音声入力端子が備えられており、音声入力端子を介してマイク２０１から音声信号を入力することが可能になっている。この実施の形態２では、記録装置４００から表示装置１００に入力されるＳＤＩ信号には、音声信号が重畳されていないものとする。
【００３５】
図５は、実施の形態２に係る表示装置５００の構成を示すブロック図である。実施の形態１の図２に示した表示装置１００と同様の機能を有するブロックには同一の符号を付し、詳細な説明は繰り返さない。以下、実施の形態１と異なる動作について詳細に説明する。
【００３６】
音声信号入力部５０１は、不図示の音声入力端子を介して、マイク２００からの音声信号を受信し、音声信号解析部５０２に出力する。アンシラリ解析部１０２は、ＳＤＩ信号入力部１０１から入力されたアンシラリ信号を解析し、アンシラリ信号に含まれる記録情報を記録情報取得部１０４に出力する。アンシラリ解析部１０２は、アンシラリ信号に音声信号が含まれていないので、実施の形態１のように音声信号を音声信号解析部５０２に出力するようなことはしない。
【００３７】
音声信号解析部５０２は、撮影時に、信号入力部５０１から入力された音声信号を解析し、ファン音データ記憶部１０５に記憶されているファン音データを参照し、音声信号にファン音が含まれているか否かを判断する。この判断の動作は、実施の形態１で説明した音声信号解析部１０３の動作と同様である。
【００３８】
この実施の形態２では、実施の形態１と同様に、表示装置が備えるファンの回転により生じるファン音が音声記録に与える影響を抑制することが可能となる。
【００３９】
（実施の形態３）
実施の形態３では、ファン音が記録されている場合に、ファン音の音量レベルに応じてファンの回転数を制御する。
【００４０】
実施の形態３に係るシステムの構成と、表示装置１００の構成は、実施の形態１と同様である。
【００４１】
図６は、実施の形態３における制御部１０７の動作（制御フロー）を示すフロー図である。以下、実施の形態１と同様の動作については説明を簡略化し、実施の形態１と異なる動作について詳細に説明する。
【００４２】
ステップＳ２００〜Ｓ２０５，Ｓ２１０は、図３のステップＳ１００〜Ｓ１０５，Ｓ１０７と同様である。ステップＳ２０６では、制御部１０７は、音声信号解析部１０３による音声信号の解析結果に基づき、音声信号全体の音量レベルに対するファン音の音量レベルの割合が閾値より小さいか否かを判定する。そして、音声信号全体の音量レベルに対するファン音の音量レベルの割合が閾値より小さい場合はステップＳ２１０へ進み、音声信号全体の音量レベルに対するファン音の音量レベルの割合が閾値より大きい場合はＳ２０７へ移行する。なお、上記閾値は、音声信号全体の音量レベルに比べファン音の音量レベルが極めて小さい割合となる値であり、この値を超えると音声信号全体を聞いたときにファン音がノイズとして知覚できる恐れがある限界値としてもよい。
【００４３】
ステップＳ２０７では、ファン１０９の回転数を低下させる。このとき、ファン音データ記憶部１０５を参照し、音声信号全体の音量レベルに対するファン音の音量レベルの割合の閾値を下回るようにファン１０９の回転数を選択し、ステップ２０８へ移行する。
【００４４】
ステップＳ２０８では、制御部１０７は、温度センサ１０６から表示装置１００の内部温度に関する温度情報を取得し、ステップＳ２０９に移行する。ステップＳ２０９では、ステップＳ２０８で取得した温度情報と、予め保持している閾値とを比較し、表示装置１００の内部温度が閾値よりも小さければ、処理を終了する。また、表示装置１００の内部温度が閾値よりも大きければステップＳ２１０に移行し、制御部１０７は、温度センサ１０６により取得された温度情報に基づき、ファン制御回路５０８を介して、内部温度に応じた回転数でファン１０９の回転制御を行う。
【００４５】
したがって、この実施の形態３では、実施の形態１と同様に、表示装置が備えるファンの回転により生じるファン音が音声記録に与える影響を抑制することが可能となる。さらに、音声信号全体の音量レベルに対するファン音の音量レベルの割合に応じた好適なファン制御を行うことができる。
【００４６】
（実施の形態４）
実施の形態４では、ファン音が記録されているか否かを高精度に判断するために、ファンが回転している状態と回転していない状態における音声信号の差分データを撮影前に予め取得する。実施の形態４に係るシステムの構成は、図４に示した実施の形態２のシステムの構成と同様であるものとする。
【００４７】
図７は、実施の形態４に係る表示装置６００の構成を示すブロック図である。実施の形態１の図４に示した表示装置５００と同様の機能を有するブロックには同一の符号を付し、詳細な説明は繰り返さない。以下、実施の形態１と異なる動作について詳細に説明する。
【００４８】
ユーザ操作入力部６０１は、ファンが回転している状態と回転していない状態における音声信号の差分データを撮影前に予め取得するユーザ操作指示を受ける。音声信号解析部６０３及び制御部６０４は、ファンが回転している状態と回転していない状態における音声信号の差分データを予め取得する処理を行う。ファン音データ記憶部６０２は、ファンが回転している状態と回転していない状態における音声信号の差分データを記憶する。
【００４９】
図８は、実施の形態４における音声信号解析部６０３及び制御部６０４の動作（制御フロー）を示すフロー図である。ファンが回転している状態と回転していない状態における音声信号の差分データを撮影前に予め取得するユーザ操作指示を受けた場合に、図８の処理が行われる。
【００５０】
ステップＳ３００で、制御部６０４は、ファン制御回路１０８を介してファン１０９をオン制御し、ステップＳ３０１へ移行する。ステップＳ３０１で、音声信号解析部６０３は、ファン１０９が回転している状態でマイク２０１から集音された音声信号を音声データＯＤ１として取得し、ステップＳ３０２へ移行する。
【００５１】
ステップＳ３０２で、制御部６０４は、ファン制御回路１０８を介してファン１０９をオフ制御し、ステップＳ３０３へ移行する。ステップＳ３０３で、音声信号解析部６０３は、ファン１０９が回転していない状態でマイク２０１から集音された音声信号を音声データＯＤ２として取得し、ステップＳ３０４へ移行する。
【００５２】
ステップＳ３０４で、音声信号解析部６０３は、ステップＳ３０１で取得した音声データＯＤ１と、ステップＳ３０２で取得した音声データＯＤ２を解析する。そして、音声データＯＤ１と音声データＯＤ２の音声レベルと周波数成分のそれぞれの差分データを、ファン１０９のファン音データとして取得し、ステップＳ３０５へ移行する。ステップＳ３０５で、音声信号解析部６０３は、ステップＳ３０４で取得したファン音データをファン音データ記憶部６０２に保存する。
【００５３】
以上の動作を、回転数を少しずつ高くしていきながら、複数段階の回転数に対応したファン音データを取得して、ファン音データ記憶部６０２に予め記憶する。
【００５４】
そして、音声信号解析部６０３は、撮影時に、アンシラリ解析部１０２から入力された音声信号を解析し、ファン音データ記憶部６０２に記憶されているファン音データを参照し、音声信号にファン音が含まれているか否かを判断する。具体的には、ファン音データは、ファンの回転数に応じたファン音レベルやファン音の周波数などの特性情報を含んでいる。音声信号解析部６０３は、ファン１０９の回転数に応じたファン音レベル及び周波数成分が音声信号から検知されたか否かに基づいて、音声信号にファン音が含まれているか否かを判断する。ただし、ファン１０９の回転数に応じたファン音レベル及び周波数成分のどちらか一方が音声信号から検知されたか否かに基づいて、音声信号にファン音が含まれているか否かを判断してもよい。
【００５５】
この実施の形態４では、ファン音が記録されているか否かを高精度に判断することができ、表示装置が備えるファンの回転により生じるファン音が音声記録に与える影響を高精度に抑制することが可能となる。
【００５６】
（その他の実施の形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。上記コンピュータは、例えば、ＣＰＵやＭＰＵ等のプロセッサーで構成される。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００５７】
１００  表示装置
１０１  ＳＤＩ信号入力部
１０２  アンシラリ解析部
１０３  音声信号解析部
１０４  記録情報取得部
１０５  ファン音データ記憶部
１０６  温度センサ
１０７  制御部
１０８  ファン制御回路
１０９  ファン
１１０  映像処理部
１１１  表示部
【図１】
2018084603.tif 000003
【図２】
2018084603.tif 000004
【図３】
2018084603.tif 000005
【図４】
2018084603.tif 000006
【図５】
2018084603.tif 000007
【図６】
2018084603.tif 000008
【図７】
2018084603.tif 000009
【図８】
2018084603.tif 000010